(57)【要約】【課題】作業性がよく、線状体への固着力の強いクリップを得る。【解決手段】線状体１０を収容可能な線状体収容溝１３を持つ線状体受け部１４と、これに薄肉ヒンジ１５を介して一体連接された押さえ板１７と、その先端に設けたロック爪１６と、線状体受け部１４の前記薄肉ヒンジと反対側に一体に設けた板状部１９と、この板状部１９に設けた爪係止部２０と、板状部１９の背面に固定されたアンカー部材２４とからなる。線状体１０を線状体収容溝１３に挿入し押さえ板１７を倒して押し込むと、ロック爪１６が爪係止部２０に係合してロックされる。操作が簡単で作業性がよい。ロック機構２３が、クリップ１１の手前側ではなくアンカー２１側（パネル側）にあるので、このロック機構の部分に何か物が当たる恐れは少なく、通常の使用状態でロック解除となってしまうことを防止できる。【選択図】      図６
2004357400.tif 000002
【特許請求の範囲】
【請求項１】
線状体を収容可能な線状体収容溝を持つ線状体受け部と、この線状体受け部に薄肉ヒンジを介して一体連接された押さえ板と、この押さえ板の先端に設けた外向き突起状のロック爪と、この線状体受け部の前記薄肉ヒンジと反対側に中空部を介在させて当該線状体受け部と一体に設けられた板状部と、この板状部の上端部に形成された、前記ロック爪が係合可能な内向き突起状の爪係止部と、板状部の背面に設けられた、パネルにあけた取付穴に係合可能なアンカーとを備えたことを特徴とするクリップ。
【請求項２】
前記押さえ板に、当該押さえ板の一部を切り欠く形で形成されて、線状体収容溝に収容された線状体を先端部で弾性的に押し付ける板バネ片を設けたことを特徴とする請求項１記載のクリップ。
【請求項３】
前記押さえ板の内側面に、線状体収容溝に収容された線状体に接触する凹面を持つ隆起部を形成したことを特徴とする請求項１記載のクリップ。
【請求項４】
前記押さえ板の前記ロック爪と反対面に、ロック解除操作用の突起を形成したことを特徴とする請求項１記載のクリップ。
【請求項５】
前記アンカーを、前記線状体受け部と押さえ板と板状部とからなるクリップ本体とは別部材で製作し、この別部材のアンカーをクリップ本体の板状部の背面に固定したことを特徴とする請求項１記載のクリップ。
【請求項６】
前記爪係止部を上端部に持つ板状部が、その下部においてのみ線状体受け部側に連接されていることを特徴とする請求項１記載のクリップ。
【発明の詳細な説明】
【０００１】
【発明に属する技術分野】
この発明は、自動車等においてワイヤハーネスをパネルに固定するために用いるワイヤハーネス用クリップ等に適用して好適なクリップに関する。
【０００２】
【従来の技術】
自動車等においてワイヤハーネスをパネルに固定するクリップとして、ワイヤハーネスを締付け固定するバンドに、パネル側の取付穴に係合するアンカーを一体成形したバンドクリップが一般的である。
また、薄肉ヒンジを介して一体連結された２つの部分でワイヤハーネスを挟み、前記２つの部分の先端にそれぞれ設けたロック爪と爪係止部とからなるロック機構でワイヤハーネスを固定する構造のクリップも種々提案されている（特開平１１−２６２１３９、特開平８−６８４７９等）。
【０００３】
図８は特開平１１−２６２１３９のものであるが、このクリップ１は、ワイヤハーネスを把持するクリップ本体２が、薄肉ヒンジ３を介して一体連結された一対の半リング部４、５からなり、各半リング部４、５の薄肉ヒンジ３と反対側の先端部にロック爪６ａと爪係止部６ａとからなるロック機構６を設けている。そして、ロック機構６と反対側にアンカー７を一体に設けた構造である。
【０００４】
上記クリップ１のように、薄肉ヒンジ３を介して連結された２つの部分４、５でワイヤハーネスを挟み、その２つの部分４、５にそれぞれ設けたロック爪６ａと爪係止部６ｂとからなるロック機構６でロックする構造を採用する場合、このクリップ１のように、アンカー７とロック機構６とは反対側に設けるのが一般的である。
【０００５】
図９は特開平８−６８４７９のものであるが、このクリップ１’も同様に、クリップ本体２’が薄肉ヒンジ３’を介して連結された２つの部分すなわちベース板４’と押さえ板５’とからなり、このベース板４’と押さえ板５’とでワイヤハーネスＨを挟み、両者４’、５’にそれぞれ設けたロック爪６’ａと爪係止部６’ｂとからなるロック機構６’でロックする構造である。なお、このクリップ１’はロック機構６’を両側に、すなわち薄肉ヒンジ３’の反対側だけでなく同じ側にも設けている（ただし一方は補助ロック機構として）。
このクリップ１’の場合、アンカー７’とロック機構６’とが互いに反対側ではないが、ロック機構６’がアンカー７’の方向と直交する方向にあり、少なくとも同じ側ではない。
また、ロック爪と爪係止部とによるロック機構では一般に、このロック機構６’と同様に、ロック爪が内側に突出する形状、爪係止部が外側に突出する形状とするのが通常である。
図９において、９はワイヤハーネスＨに直接当たるリブ、８はパネル、８ａはパネル８にあけた取付穴である。
【０００６】
【特許文献１】
特開平１１−２６２１３９号公報
【特許文献２】
特開平８−６８４７９号公報
【０００７】
【発明が解決しようとする課題】
上記従来の単なるバンドにアンカーを固定したバンドクリップは、構造が簡単でコストが安いが、ワイヤハーネスに対する固着力が弱く、ワイヤハーネスから外れたり回転したりする恐れがある。また、バンドで締付ける作業は煩雑であり、作業性が悪い。
図８のクリップ１は、バンドクリップと比べてワイヤハーネスに取り付ける際の作業性は良いが、ワイヤハーネスに対する固着力が必ずも十分強いとは言えない。また、ロック機構６がアンカー７と反対側にあり前方に突出しているので、ロック機構６の部分に何か物が当たってロック解除となることも有り得る。
【０００８】
図９のクリップ１’は、同様にバンドクリップと比べてワイヤハーネスに取り付ける際の作業性は良い。
また、ワイヤハーネスに対する固着力もある程度強いと思われるが、爪係止部６’ｂをワイヤハーネス受け部（ベース板４’）に直接形成した構成では、ロック爪６’ａを十分深くするとロック解除時に外しにくくなるので、ロック爪６’ａの深さはそれほど深くはできず、固着力が必ずしも十分に強固とも言い難い。また、２箇所にロック機構６’がある構造は、煩雑でありコストが高くなる。
また、ロック機構６’の位置がパネル８の面に添う方向にあっても、やはりこの部分に何か物が当たってロック解除となることも有り得る。
【０００９】
本発明は上記従来の欠点を解消するためになされたもので、ワイヤハーネス等に取り付ける際の作業性がよく、ワイヤハーネスに対する固着力が強く、また、ロック機構部分に何か物が当たってロック解除となる恐れのないクリップを提供することを目的とする。
【００１０】
【課題を解決するための手段】
上記課題を解決する本発明のクリップは、線状体を収容可能な線状体収容溝を持つ線状体受け部と、この線状体受け部に薄肉ヒンジを介して一体連接された押さえ板と、この押さえ板の先端に設けた外向き突起状のロック爪と、この線状体受け部の前記薄肉ヒンジと反対側に中空部を介在させて当該線状体受け部と一体に設けられた板状部と、この板状部の上端部に形成された、前記ロック爪が係合可能な内向き突起状の爪係止部と、板状部の背面に設けられた、パネルにあけた取付穴に係合可能なアンカーとを備えたことを特徴とする。
【００１１】
請求項は、請求項１のクリップにおける押さえ板に、当該押さえ板の一部を切り欠く形で形成されて、線状体収容溝に収容された線状体を先端部で弾性的に押し付ける板バネ片を設けたことを特徴とする。
【００１２】
請求項３は、請求項１のクリップにおける押さえ板の内側面に、線状体収容溝に収容された線状体に接触する凹面を持つ隆起部を形成したことを特徴とする。
【００１３】
請求項４は、請求項１のクリップにおける押さえ板の前記ロック爪と反対面に、ロック解除操作用の突起を形成したことを特徴とする。
【００１４】
請求項５は、請求項１のクリップにおけるアンカーを、前記線状体受け部と押さえ板と板状部とからなるクリップ本体とは別部材で製作し、この別部材のアンカーをクリップ本体の板状部の背面に固定したことを特徴とする。
【００１５】
請求項６は、請求項１のクリップにおいて、爪係止部を上端部に持つ板状部が、その下部においてのみ線状体受け部側に連接されていることを特徴とする。
【００１６】
【発明の実施の形態】
図１は本発明の一実施形態のクリップ１１の一部切欠き正面図、図２は同平面図、図３は図２のＡ−Ａ断面図、図４（イ）は図３のＢ−Ｂ断面図、同図（ロ）は（イ）のＣ−Ｃ断面図、図５は図３のＤ−Ｄ断面図（但しアンカー部材は不図示）、図６は把持対象の線状体であるワイヤハーネス１０を把持した状態のクリップの正面図である。図示例のワイヤハーネス１０は、２本の電線１０ａをチューブ１０ｂ内に収容したいわゆるチューブドワイヤである。
【００１７】
この実施形態のクリップ１１は、ワイヤハーネス１０を把持して自動車等のパネルに取り付けるためのワイヤハーネス用クリップであり、図３等に示すように、ワイヤハーネス１０を収容可能な線状体収容溝１３を持つ線状体受け部１４と、この線状体受け部１４に薄肉ヒンジ１５を介して一体連接された押さえ板１７と、この押さえ板１７の先端に設けた外向き突起状のロック爪１６と、この線状体受け部１４の前記薄肉ヒンジ１５と反対側に中空部１８を介在させて当該線状体受け部１４と一体に設けられた板状部１９と、この板状部１９の上端部に形成された、前記ロック爪１６が係合可能な内向き突起状の爪係止部２０とを備えている。前記ロック爪１６と爪係止部２０とは、押さえ板１７と線状体受け部１４とをみだりに外れないように係合させるロック機構２３を構成する。以上の線状体受け部１４、押さえ板１７、板状部１９等の部分（図１等で線分ａの右側部分）をクランプ本体１２と呼ぶ。そして、このクリップ本体１２の板状部１９の背面に、パネル２２にあけた取付穴２２ａ（図７参照）に係合可能なアンカー２１を持つアンカー部材２４を固定している。
【００１８】
前記押さえ板１７には、線状体収容溝１３に収容されたワイヤハーネス１０を先端部で弾性的に押し付ける板バネ片２５を設けている（図４（イ）、（ロ）参照）。この板バネ片２５は、押さえ板１７に互いに向き合う逆向きの２つのコ字形穴２６を形成することで、それぞれコ字に囲まれる形で２つ形成されており、先端側がワイヤハーネス１０側に向く傾斜で互いに対称形状をなしている。
クリップ１１でワイヤハーネス１０を把持した時（図６参照）、この板バネ片２５でワイヤハーネス１０を押し付けることで、ワイヤハーネス１０に対する固着力が増大する。
【００１９】
また、押さえ板１７の内側面には、線状体収容溝１３に収容されたワイヤハーネス１０に接触する円弧状の凹面２７ａを持つ隆起部２７を形成している。
クリップ１１でワイヤハーネス１０を把持した時（図６参照）、この隆起部２７の凹面２７ａでワイヤハーネス１０に対して強い押し付け力を作用させることができ、この点でも、ワイヤハーネス１０に対する固着力が増大する。
なお、隆起部２７の凹面２７ａを、ざらざらした粗面にして摩擦を大きくすると、把持したワイヤハーネス１０が線状体収容溝１３内を長手方向に移動するのを防ぐために効果的である。
【００２０】
また、押さえ板１７のロック爪１６と反対面に、ロック解除操作用の突起２８を形成している。この突起２８の存在で、ロック爪１６を爪係止部２０から外す際に、ロック爪１６および押さえ板１７に図６の矢印Ｐ方向の力を加えることが容易であり、ロック解除の操作が容易である。
また、爪係止部２０を上端部に持つ前記板状部１９は、図３のＤ−Ｄ断面図（但しアンカー部材２４は不図示）である図５に示すように、線状体受け部１４と一体の中空部側壁１８ａに対して下部連接部１８ｂを介して連接するのみで、この下部連接部１８ｂから立ち上がった形状なので、この板状部１９は線状体受け部１４に対して図６で矢印Ｑ方向の前後に若干撓むことができる。このため、前記突起２８の存在と相まって、ロック爪１６が深くてもこれを爪係止部２０から外す操作は比較的容易であり、これにより、ロック爪１６の深さを深くして、爪係止部２０との係合を堅固にすることができ、この点でもワイヤハーネス１０に対する固着力を十分強固にすることができる。
【００２１】
前記アンカー部材２４は、基板部２９と、この基板部２９に一体連接する略長方形断面の軸２１ａの両側に係止羽根２１ｂを形成した前述のアンカー２１と、このアンカー２１の軸２１ａの基部に連接されてアンカー２１を囲む弾性傘状部３１と、クリップ本体１２への取付部３２とからなる構造である。また、基板部２９と取付部３２との間を中空にして両者２９、３２間に若干の距離を設けているので、ロック機構２３をアンカー２１側に配しているにも拘わらず、アンカー部材２４がロック操作解除用の突起２８に指を掛ける際の邪魔にならない。なお、係止羽根２１ｂは、図７のようにその先端の段差部２１ｃでパネル２２の取付穴２２ａに係合する。
【００２２】
アンカー部材２４とクリップ本体１２とは、別個に樹脂成形した別部材であり、この別部材のアンカー部材２４の前記取付部３２を接着剤でクリップ本体１２の板状部１９の背面に固定している。但し、アンカー部材２４をクリップ本体１２に固定する手段は、上述の接着接合に限らず、超音波（振動）接合、溶着接合、圧入構造など任意である。
アンカー部材２４がクリップ本体１２とは別部材なので、ワイヤハーネスの形状・寸法等に対応した複数種のクリップ本体１２と、パネルの穴径・板厚等に対応した複数種のアンカー部材２４を用意しておき、それぞれの条件に合致するものを選択して組み合わせることができ、種々のバリエーションに対応したクリップを容易に製造することができる。
但し、アンカー部材２４をクリップ本体１１と樹脂一体成形してもよい。
【００２３】
上記のクリップ１１でワイヤハーネス１０をパネル２２に固定する要領を説明する。まず、クリップ１１の線状体受け部１４にワイヤハーネス１０を挿入し、次いで、押さえ板１７を倒して若干強く押し込むと、ロック爪１６がその傾斜面で爪係止部２０の上面を摺動して下降し、図６のように爪係止部２０に係合する。これにより、押さえ板１７が開かないようにロックされる。
このように、ワイヤハーネス１０を線状体収容溝１３に挿入し押さえ板１７を押し込むという簡単な操作でワイヤハーネス１０を把持できるので、従来のバンドクリップと比べて作業性は極めて良好である。
また、ロック爪１６と爪係止部２０とによるロック機構２３が、クリップ１１の手前側ではなくアンカー２１側（パネル２２側）に、すなわち、奥まった位置にあるので、このロック機構２３の部分に何か物が当たる恐れは少なく、ロック解除となってしまうことを防止できる。
また、ロック爪１６が外向き突起状、爪係止部２０が板状部１９の内側の中空部１８に突出する内向き突起状であり、ロック機構２３の部分が板状部１９の内側に隠された態様となる点でも、ロック機構２３の部分に何か物がロック解除となる恐れは少ない。
【００２４】
上記のクリップ１１で把持するワイヤハーネスは、実施形態のようなチューブドワイヤに限るものでなく、種々の形状・寸法のワイヤハーネスに適用でき、用途も自動車用に限らず種々の用途のワイヤハーネスに適用できる。さらに、ワイヤハーネスに限らず種々の電線に適用でき、また、電線に限らず、種々の線状体（１本の線状体、または複数本の線状体の束）を把持する場合に適用できる。
【００２５】
【発明の効果】
本発明のクリップによれば、ワイヤハーネス等の線状体を線状体収容溝に挿入し押さえ板を押し込むという簡単な操作で線状体を把持できるので、従来のバンドクリップと比べて作業性は極めて良好である。
また、ロック爪と爪係止部とによるロック機構が、クリップの手前側ではなくアンカー側（パネル側）に、すなわち、奥まった位置にあるので、このロック機構の部分に何か物が当たる恐れは少なく、通常の使用状態でロック解除となってしまうことを防止できる。また、ロック爪が外向き突起状、爪係止部が内向き突起状である点でも、ロック機構の部分に何か物が当たってロック解除となる恐れは少ない
【００２６】
請求項２によれば、押さえ板に、線状体収容溝内の線状体を弾性的に押し付ける板バネ片を形成したので、線状体に対する固着力が増大する。
【００２７】
接着剤によれば、押さえ板の内側面に、線状体収容溝内の線状体に接触する隆起部を形成したので、線状体に対して強い押し付け力を作用させることができ、この点でも、線状体に対する固着力が増大する。
【００２８】
請求項４によれば、押さえ板のロック爪と反対面に、ロック解除操作用の突起を形成したので、ロック機構がクリップの手前でなくアンカー側に配されているにも拘わらず、ロック解除の操作が容易である。
【００２９】
請求項５によれば、アンカーがクリップ本体とは別部材なので、線状体の形状・寸法等に対応した複数種のクリップ本体と、パネルの穴径・板厚等に対応した複数種のアンカー部材を用意しておき、それぞれの条件に合致するものを選択して組み合わせることができ、種々のバリエーションに対応したクリップを容易に製造することができる。
【００３０】
線状体６によれば、爪係止部を上端部に持つ前記板状部が線状体受け部に対して若干撓むことができるので、ロック爪が深くてもこれを爪係止部から外す操作は容易であり、これにより、ロック爪の深さを深くして、爪係止部との係合を堅固にし、線状体に対する固着力を十分強固にすることができる。
【図面の簡単な説明】
【図１】本発明の一実施形態のクリップの一部切欠き正面図である。
【図２】図１のクリップの平面図である。
【図３】図２のＡ−Ａ断面図である。
【図４】（イ）は図３のＢ−Ｂ断面図、（ロ）は（イ）のＣ−Ｃ断面図である。
【図５】図３のＤ−Ｄ断面図（但しアンカー部材は不図示）である。
【図６】ワイヤハーネスを把持した状態のクリップの正面図である。
【図７】上記クリップのアンカーとパネルの取付穴との係合状態を説明する図である。
【図８】従来のクリップの正面図である。
【図９】他の従来のクリップの正面図である。
【符号の説明】
１１  クリップ
１２  クリップ本体
１３  線状体収容溝
１４  線状体受け部
１５  薄肉ヒンジ
１６  ロック爪
１７  押さえ板
１８  中空部
１８ａ  壁部
１８ｂ  下部連接部
１９  板状部
２０  爪係止部
２１  アンカー
２１ａ  軸
２１ｂ  係止羽根
２１ｃ  段差部
２２  パネル
２２ａ  取付穴
２３  ロック機構
２４  アンカー部材
２５  板バネ片
２６  コ字形穴
２７  隆起部
２７ａ  凹面
２８  （ロック解除用の）突起
２９  基板部
３１  弾性傘状部
３２  取付部
【図１】
2004357400.tif 000003
【図２】
2004357400.tif 000004
【図３】
2004357400.tif 000005
【図４】
2004357400.tif 000006
【図５】
2004357400.tif 000007
【図６】
2004357400.tif 000008
【図７】
2004357400.tif 000009
【図８】
2004357400.tif 000010
【図９】
2004357400.tif 000011